(57)【要約】  本発明の画像処理装置は、発送物の宛先を読み取る画像処理装置であって、前記発送物の宛先が記載された宛先領域を含む発送物の画像データを、該発送物における前記宛先領域の位置を示す領域データと対応付けて記憶する記憶部と、前記発送物の画像データを取得する取得部と、前記取得部により取得された画像データと前記宛先領域以外の領域が一致する画像データを、前記記憶部から検索する検索部と、前記取得部により取得された画像データから、前記検索部により検索された画像データに対応付けられた領域データの示す領域を、前記発送物の宛先領域として抽出する抽出部と、前記抽出部により抽出された宛先領域から宛先を読み取る読取部と、を有する。
2011033857.tif 000002
【特許請求の範囲】
【請求項１】
発送物の宛先を読み取る画像処理装置であって、
前記発送物の宛先が記載された宛先領域を含む発送物の画像データを、該発送物における前記宛先領域の位置を示す領域データと対応付けて記憶する記憶部と、
前記発送物の画像データを取得する取得部と、
前記取得部により取得された画像データと前記宛先領域以外の領域が一致する画像データを、前記記憶部から検索する検索部と、
前記取得部により取得された画像データから、前記検索部により検索された画像データに対応付けられた領域データの示す領域を、前記発送物の宛先領域として抽出する抽出部と、
前記抽出部により抽出された宛先領域から宛先を読み取る読取部と、を有する画像処理装置。
【請求項２】
前記取得部により取得された画像データを表示する表示部と、
前記取得部により取得された画像データと前記宛先領域以外の領域が一致する画像データが検索されなかった場合、前記表示部に画像データが表示された発送物における、前記宛先領域の位置の入力を受け付ける入力受付部と、を更に有する請求項１に記載の画像処理装置。
【請求項３】
前記記憶部は、
前記取得部により取得された画像データを、前記入力受付部により入力が受け付けられた宛先領域の位置を示す領域データと対応付けて記憶する、請求項２に記載の画像処理装置。
【請求項４】
発送物の宛先を読み取る画像処理装置に適用される画像処理方法であって、
前記発送物の宛先が記載された宛先領域を含む発送物の画像データを、該発送物における前記宛先領域の位置を示す領域データと対応付けて記憶し、
前記発送物の画像データを取得し、
前記記憶された画像データから、前記取得された画像データと前記宛先領域以外の領域が一致する画像データを検索し、
前記取得された画像データから、前記検索された画像データに対応付けられた領域データの示す領域を、前記発送物の宛先領域として抽出し、
前記抽出された宛先領域から宛先を読み取る、画像処理方法。
【請求項５】
前記取得された画像データを表示し、
前記取得された画像データと前記宛先領域以外の領域が一致する画像データが検索されなかった場合、前記画像データが表示された発送物における、前記宛先領域の位置の入力を受け付ける、請求項４に記載の画像処理方法。
【請求項６】
前記取得された画像データを、前記入力が受け付けられた宛先領域の位置を示す領域データと対応付けて記憶する、請求項５に記載の画像処理方法。
【請求項７】
発送物を供給する供給部と、
前記供給部により供給された発送物の宛先を読み取る画像処理部と、
前記画像処理部により読み取られた前記宛先に応じて、前記発送物を区分する区分部と、を備えた区分機であって、
前記画像処理部は、
前記発送物の宛先が記載された宛先領域を含む発送物の画像データを、該発送物における前記宛先領域の位置を示す領域データと対応付けて記憶する記憶部と、
前記発送物の画像データを取得する取得部と、
前記取得部により取得された画像データと前記宛先領域以外の領域が一致する画像データを、前記記憶部から検索する検索部と、
前記取得部により取得された画像データから、前記検索部により検索された画像データに対応付けられた領域データの示す領域を、前記発送物の宛先領域として抽出する抽出部と、
前記抽出部により抽出された宛先領域から宛先を読み取る読取部と、を有する区分機。
【請求項８】
発送物の宛先を読み取る画像処理装置に、
前記発送物の宛先が記載された宛先領域を含む発送物の画像データを、該発送物における前記宛先領域の位置を示す領域データと対応付けて記憶する記憶処理と、
前記発送物の画像データを取得する取得処理と、
前記記憶処理により記憶された画像データから、前記取得処理により取得された画像データと前記宛先領域以外の領域が一致する画像データを検索する検索処理と、
前記取得処理により取得された画像データから、前記検索処理により検索された画像データに対応付けられた領域データの示す領域を、前記発送物の宛先領域として抽出する抽出処理と、
前記抽出処理により抽出された宛先領域から宛先を読み取る読取処理と、を実行させるプログラム。
【発明の詳細な説明】
【技術分野】
【０００１】
本発明は、発送物に記載された宛先を読み取る画像処理装置、画像処理方法、区分機およびプログラムに関する。
【背景技術】
【０００２】
はがき、封書、冊子小包などの薄手の発送物の宛先に応じて、自動的に区分を行う区分機には、宛先を読み取る画像処理装置が備えられている。【０００３】
宛先の読み取りのために、画像処理装置は、まず、宛先が記載された宛先領域を含む発送物の画像データを取得する。そして、画像処理装置は、取得した画像データから、発送物の装丁などに基づき、宛先領域を抽出し、抽出した宛先領域から宛先を読み取る。【０００４】
ところで、発送物には、同じ発送者から一括して発送され、同じ装丁で宛先が異なる発送物（以下、大口の発送物と称する）があり、通常、区分機では、このような大口の発送物の区分は、一括して連続的に行われる。【０００５】
ここで、発送物の装丁によっては、画像処理装置が宛先領域を正確に抽出できず、宛先を読み取れない場合がある。この場合、区分機は、その発送物を区分できない。【０００６】
特に、大口の発送物の装丁により宛先領域の抽出ができないと、大口の発送物全ての宛先を読み取れず、区分できない発送物が連続して発生することになる。【０００７】
そこで、特許文献１には、大口の発送物の画像データを、その発送物における宛先領域の位置と対応付けて記憶しておき、大口の発送物の区分の際には、発送物の装丁に基づき、区分機のオペレーターが選択した画像データに対応付けられた宛先領域の位置を、発送物の宛先領域として抽出する画像処理装置を備えた区分機が記載されている。【０００８】
特許文献１に記載の画像処理装置によれば、オペレーターが選択した画像データに対応付けられた宛先領域の位置を発送物の宛先領域として抽出するので、宛先領域の抽出の失敗を防ぎ、その結果、大口の発送物の区分の際に、区分できない発送物が連続して発生することを防ぐことができる。【０００９】
また、大口の発送物は同じ装丁なので、オペレーターが一度、画像データを選択すれば、画像処理装置は、その画像データに基づき、連続して宛先領域を抽出できる。
【先行技術文献】
【特許文献】
【００１０】
【特許文献１】特開平８−１０３７３１号公報
【発明の概要】
【発明が解決しようとする課題】
【００１１】
しかしながら、大口の発送物の中には、区分機による一括した区分から漏れる発送物がある。そのような発送物を特許文献１に記載の区分機で区分する場合、同じ装丁の発送物が連続するわけではないので、発送物の装丁が変わるたびに、オペレーターが画像データを選択する必要があり、区分速度が低下するという課題がある。【００１２】
本発明の目的は、発送物の区分速度の低下を抑制できる画像処理装置、画像処理方法、区分機およびプログラムを提供することにある。
【課題を解決するための手段】
【００１３】
上記目的を達成するために本発明の画像処理装置は、
発送物の宛先を読み取る画像処理装置であって、
前記発送物の宛先が記載された宛先領域を含む発送物の画像データを、該発送物における前記宛先領域の位置を示す領域データと対応付けて記憶する記憶部と、
前記発送物の画像データを取得する取得部と、
前記取得部により取得された画像データと前記宛先領域以外の領域が一致する画像データを、前記記憶部から検索する検索部と、
前記取得部により取得された画像データから、前記検索部により検索された画像データに対応付けられた領域データの示す領域を、前記発送物の宛先領域として抽出する抽出部と、
前記抽出部により抽出された宛先領域から宛先を読み取る読取部と、を有する。【００１４】
上記目的を達成するために本発明の画像処理方法は、
発送物の宛先を読み取る画像処理装置に適用される画像処理方法であって、
前記発送物の宛先が記載された宛先領域を含む発送物の画像データを、該発送物における前記宛先領域の位置を示す領域データと対応付けて記憶し、
前記発送物の画像データを取得し、
前記記憶された画像データから、前記取得された画像データと前記宛先領域以外の領域が一致する画像データを検索し、
前記取得された画像データから、前記検索された画像データに対応付けられた領域データの示す領域を、前記発送物の宛先領域として抽出し、
前記抽出された宛先領域から宛先を読み取る。【００１５】
上記目的を達成するために本発明の区分機は、
発送物を供給する供給部と、
前記供給部により供給された発送物の宛先を読み取る画像処理部と、
前記画像処理部により読み取られた前記宛先に応じて、前記発送物を区分する区分部と、を備えた区分機であって、
前記画像処理部は、
前記発送物の宛先が記載された宛先領域を含む発送物の画像データを、該発送物における前記宛先領域の位置を示す領域データと対応付けて記憶する記憶部と、
前記発送物の画像データを取得する取得部と、
前記取得部により取得された画像データと前記宛先領域以外の領域が一致する画像データを、前記記憶部から検索する検索部と、
前記取得部により取得された画像データから、前記検索部により検索された画像データに対応付けられた領域データの示す領域を、前記発送物の宛先領域として抽出する抽出部と、
前記抽出部により抽出された宛先領域から宛先を読み取る読取部と、を有する。【００１６】
上記目的を達成するために本発明のプログラムは、
発送物の宛先を読み取る画像処理装置に、
前記発送物の宛先が記載された宛先領域を含む発送物の画像データを、該発送物における前記宛先領域の位置を示す領域データと対応付けて記憶する記憶処理と、
前記発送物の画像データを取得する取得処理と、
前記記憶処理により記憶された画像データから、前記取得処理により取得された画像データと前記宛先領域以外の領域が一致する画像データを検索する検索処理と、
前記取得処理により取得された画像データから、前記検索処理により検索された画像データに対応付けられた領域データの示す領域を、前記発送物の宛先領域として抽出する抽出処理と、
前記抽出処理により抽出された宛先領域から宛先を読み取る読取処理と、を実行させる。
【発明の効果】
【００１７】
本発明によれば、画像処理装置は、宛先領域を含む発送物の画像データを、発送物における宛先領域の位置を示す領域データと対応付けて記憶し、取得した発送物の画像データと、宛先領域以外の領域が一致する画像データを検索し、検索された画像データに対応付けられた領域データの示す領域を宛先領域として抽出する。【００１８】
そのため、画像処理装置は、検索された画像データに対応付けられた領域データの示す領域を発送物の宛先領域として抽出するので、宛先領域の抽出の失敗を防ぐことができるとともに、発送物の装丁が変わった場合にも、オペレーターによる画像データの選択が不要なので、区分速度の低下を抑制することができる。
【図面の簡単な説明】
【００１９】
【図１】本発明の一実施形態の画像処理装置の構成を示すブロック図である。
【図２】図１に示す制御部の動作の一例を示すフローチャートである。
【図３】図１に示す制御部の動作の他の一例を示すフローチャートである。
【図４】図１に示す画像処理装置による通常処理の動作の一例を示すフローチャートである。
【図５】図１に示す画像処理装置による大口一括処理の動作の一例を示すフローチャートである。
【図６】図１に示す記憶部に記憶されるデータの一例を示す図である。
【図７】図１に示す記憶部に記憶されるデータの他の一例を示す図である。
【図８】図１に示す画像処理装置による大口バラ処理の動作の一例を示すフローチャートである。
【図９】図１に示す画像処理装置による大口バラ処理の動作の他の一例を示す図である。
【図１０】本発明の一実施例の区分機の構成を示す図である。
【発明を実施するための形態】
【００２０】
以下に、本発明を実施するための形態について図面を参照して説明する。
【００２１】
図１は、本発明の一実施形態の画像処理装置１０の構成を示すブロック図である。
【００２２】
なお、図１において、実線はデータの流れを示し、点線は制御信号の流れを示す。
【００２３】
また、本実施形態の画像処理装置１０には、発送物の宛先の読み取りの際に、外部から以下の３つのいずれかの処理モードが設定される。
【００２４】
すなわち、連続的に大口の発送物の宛先を読み取る大口一括処理を行う大口一括処理モード、大口一括処理から漏れた大口の発送物の宛先を読み取る大口バラ処理を行う大口バラモード、大口の発送物ではない発送物の宛先を読み取る通常処理を行う通常処理モード、のいずれかが設定される。
【００２５】
図１に示す画像処理装置１０は、取得部１１と、表示部１２と、入力受付部１３と、記憶部１４と、検索部１５と、抽出部１６と、読取部１７と、制御部１８と、を有する。
【００２６】
取得部１１は、宛先領域を含む発送物の画像データを取得し、設定された処理モードに応じて、取得した画像データを表示部１２、検索部１５、抽出部１６に出力する。
【００２７】
表示部１２は、取得部１１から出力された画像データを表示する。
【００２８】
入力受付部１３は、表示部１２に画像データが表示された発送物における、外部からの宛先領域の位置の入力を受け付ける。
【００２９】
なお、宛先領域の位置は、例えば、表示部１２にタッチパネルを重ね合わせ、タッチパネルが反応するペンなどにより入力することができる。
【００３０】
記憶部１４は、宛先領域を含む発送物の画像データを、入力された発送物における宛先領域の位置を示す領域データと対応付けて記憶する。
【００３１】
また、記憶部１４は、取得部１１から抽出部１６に出力された画像データに対応付けられた領域データを抽出部１６に出力する。
【００３２】
検索部１５は、記憶部１４から、取得部１１から出力された画像データと一致する画像データの検索を行う。
【００３３】
抽出部１６は、取得部１１から出力された画像データから宛先領域を抽出し、抽出した宛先領域の画像データを読取部１７に出力する。
【００３４】
ここで、抽出部１６は、記憶部１４から、領域データが出力された場合には、その領域データが示す領域を宛先領域として抽出し、領域データが出力されていない場合には、発送物の装丁などに基づき、既存のアルゴリズムを用いて、宛先領域の抽出を行う。
【００３５】
読取部１７は、抽出部１６から出力された宛先領域の画像データから、発送物の宛先を読み取る。
【００３６】
制御部１８は、設定された処理モードに応じて、各部の動作の制御を行う。
【００３７】
次に、制御部１８の動作について図２および図３を参照して説明する。
【００３８】
図２は、制御部１８の動作の一例を示すフローチャートである。
【００３９】
まず、制御部１８は、通常処理モードが設定されているか否かを判定する（ステップＳ１０１）。
【００４０】
通常処理モードが設定されている場合（ステップＳ１０１：ＹＥＳ）、制御部１８は、通常処理を行うように、取得部１１と、抽出部１６と、読取部１７と、に制御信号を出力する（ステップＳ２００）。
【００４１】
通常処理モードが設定されていない場合（ステップＳ１０１：ＮＯ）、制御部１８は、大口一括処理モードが設定されているか否かを判定する（ステップＳ１０２）。
【００４２】
大口一括処理モードが設定されている場合（ステップＳ１０２：ＹＥＳ）、制御部１８は、大口一括処理を行うように、取得部１１と、表示部１２と、入力受付部１３と、記憶部１４と、抽出部１６と、読取部１７と、に制御信号を出力する（ステップＳ３００）。
【００４３】
大口一括モードが設定されていない場合（ステップＳ１０２：ＮＯ）、制御部１８は、大口バラ処理を行うように、取得部１１と、記憶部１４と、検索部１５と、抽出部１６と、読取部１７と、に制御信号を出力する（ステップＳ４００）。
【００４４】
なお、各処理モードにおける動作は後述する。
【００４５】
図３は、制御部１８の動作の他の一例を示す図である。なお、図３において、図２と同様の処理については同じ符号を付し、説明を省略する。
【００４６】
まず、制御部１８は、大口一括処理モードが設定されているか否かを判定する（ステップＳ１０３）。
【００４７】
大口一括処理モードが設定されている場合（ステップＳ１０３：ＹＥＳ）、制御部１８は、大口一括処理を行うように、各部に制御信号を出力する（ステップＳ３００）。
【００４８】
大口一括処理モードが設定されていない場合（ステップＳ１０３：ＮＯ）、制御部１８は、大口バラ処理を行うように、各部に制御信号を出力する（ステップＳ４００）。
【００４９】
そして、制御部１８は、大口バラ処理を行った後、宛先を読み取れなかった発送物に対して、通常処理を行うように、各部に制御信号を出力する（ステップＳ２００）。
【００５０】
次に、画像処理装置１０による通常処理の動作について説明する。
【００５１】
図４は、画像処理装置１０による通常処理の動作の一例を示すフローチャートである。
【００５２】
取得部１１は、１通分の宛先領域を含む発送物の画像データを取得する（ステップＳ２０１）。
【００５３】
なお、取得部１１は、記憶部１４に記憶された発送物の画像データと同じ構図の画像データを取得するものとする。
【００５４】
制御部１８は、画像データを取得する発送物の有無に基づき、通常処理を終了するか否かを判定する（ステップＳ２０２）。
【００５５】
画像データを取得する発送物がなく、通常処理を終了すると判定した場合（ステップＳ２０２：ＹＥＳ）、制御部１８は、通常処理を終了する旨の制御信号を各部に出力する。
【００５６】
通常処理を終了しないと判定された場合（ステップＳ２０２：ＮＯ）、取得部１１は、取得した画像データを抽出部１６に出力する。
【００５７】
抽出部１６は、既存のアルゴリズムにより宛先領域を抽出し（ステップＳ２０３）、抽出した宛先領域の画像データを読取部１７に出力する（ステップＳ２０４）。
【００５８】
読取部１７は、出力された宛先領域の画像データから宛先を読み取る（ステップＳ２０５）。
【００５９】
次に、画像処理装置１０による大口一括処理の動作について説明する。
【００６０】
図５は、画像処理装置１０による大口一括処理の動作の一例を示すフローチャートである。
【００６１】
なお、図５において、図４と同様の処理については同じ符号を付し、説明を省略する。
【００６２】
制御部１８は、取得部１１で画像データを取得した発送物が、大口一括処理モードが設定された後、画像データを取得した１通目の発送物であるか否かを判定する（ステップＳ３０１）。
【００６３】
１通目の発送物である場合（ステップＳ３０１：ＹＥＳ）、制御部１８は、取得部１１が取得した画像データを表示部１２に出力させる。
【００６４】
表示部１２は、取得された画像データを表示し、入力受付部１３は、画像データが表示された発送物における、外部からの宛先領域の位置の入力を受け付ける（ステップＳ３０２）。
【００６５】
記憶部１４は、取得された画像データを、入力受付部１３を介して入力された宛先領域の位置を示す領域データと対応付けて記憶する（ステップＳ３０３）。
【００６６】
図６および図７は、記憶部１４に記憶されるデータの一例を示す図である。
【００６７】
図６の例では、画像データが、画像データを構成する各画素の画素値で表され、領域データと対応付けられて記憶されている。
【００６８】
図７の例では、画像データが、各画素の画素値などを要素とした特徴ベクトルの特徴値で表され、領域データと対応付けられて記憶されている。
【００６９】
また、領域データは、例えば、宛先領域が長方形状に入力されるとすると、その長方形の頂点のうち、３つの頂点の座標により表すことができる。
【００７０】
次に、取得部１１は、取得した画像データを抽出部１６に出力する。また、記憶部１４は、取得された画像データに対応付けられた領域データを抽出部１６に出力する。
【００７１】
抽出部１６は、取得された画像データから、領域データが示す領域を宛先領域として抽出し（ステップＳ３０４）、抽出した宛先領域の画像データを読取部１７に出力する（ステップＳ３０５）。
【００７２】
一方、１通目の発送物でない場合（ステップＳ３０１：ＮＯ）、取得部１１は、取得した画像データを抽出部１６に出力する。
【００７３】
また、記憶部１４は、取得部１１により取得された画像データに対応付けられた領域データを抽出部１６に出力する（ステップＳ３０６）。
【００７４】
抽出部１６は、取得された画像データから、記憶部１４から出力された領域データが示す領域を宛先領域として抽出する。
【００７５】
次に、画像処理装置１０による大口バラ処理の動作について説明する。
【００７６】
図８は、画像処理装置１０による大口バラ処理の動作の一例を示すフローチャートである。
【００７７】
なお、図８において、図４と同様の処理については同じ符号を付し、説明を省略する。
【００７８】
検索部１５は、記憶部１４から、取得部１１により取得された画像データと、宛先領域以外の領域が一致する画像データの検索を行う（ステップＳ４０１）。
【００７９】
宛先領域以外の領域の画像データに基づき検索を行うのは、宛先領域には宛先が記載されており、通常、発送物ごとに異なるためである。
【００８０】
また、画像データの検索は、例えば、データの類似度を用いて行うことができる。
【００８１】
なお、類似度は、取得部１１により取得された画像データと記憶部１４に記憶された画像データとを特徴ベクトルで表し、双方の画像データから抽出した２個のベクトル間の余弦を計算して求めることができる。
【００８２】
取得部１１により取得された画像データと宛先領域以外の領域が一致する画像データが検索されなかった場合（ステップＳ４０２：ＮＯ）、抽出部１６は、発送物の装丁などに基づき抽出した宛先領域の画像データを抽出部１６に出力する。
【００８３】
取得部１１により取得された画像データと宛先領域以外の領域が一致する画像データが検索された場合（ステップＳ４０２：ＹＥＳ）、記憶部１４は、検索された画像データに対応付けられた領域データを抽出部１６に出力する（ステップＳ４０３）。
【００８４】
抽出部１６は、取得された画像データから、記憶部１４から出力された領域データが示す領域を宛先領域として抽出し（ステップＳ４０４）、抽出した宛先領域の画像データを読取部１７に出力する（ステップＳ４０５）。
【００８５】
図９は、画像処理装置１０による大口バラ処理の動作の他の一例を示すフローチャートである。
【００８６】
なお、図９において、図８と同様の処理については同じ符号を付し、説明を省略する。
【００８７】
取得部１１により取得された画像データと宛先領域以外の領域が一致する画像データが検索されなかった場合（ステップＳ４０２：ＮＯ）、表示部１２は、取得された画像データを表示する。
【００８８】
入力受付部１３は、表示部１２に表示された画像データへの外部からの宛先領域の位置の入力を受け付ける（ステップＳ５０１）。
【００８９】
記憶部１４は、取得部１１により取得された画像データを、入力された宛先領域の位置を示す領域データと対応付けて記憶し（ステップＳ５０２）、その領域データを抽出部１６に出力する。
【００９０】
このように、取得部１１により取得された画像データと一致する画像データが検索されなかった場合に、入力された宛先領域の位置を示す領域データを記憶することにより、その後、同じ装丁の発送物の宛先の読み取りを行う際に、その記憶された領域データに基づき、宛先領域の抽出を行うことができる。
【００９１】
このように本実施形態によれば、画像処理装置１０は、宛先領域を含む発送物の画像データを、宛先領域の位置を示す領域データと対応付けて記憶し、取得した発送物の画像データと、宛先領域以外の領域が一致する、記憶された画像データを検索し、検索された画像データに対応付けられた領域データの示す領域を宛先領域として抽出する。
【００９２】
そのため、画像処理装置１０は、取得した画像データと宛先領域以外の領域が一致する記憶された画像データに対応付けられた領域データの示す領域を発送物の宛先領域として抽出するので、宛先領域の抽出の失敗を防ぐことができるとともに、発送物の装丁が変わった場合にも、オペレーターによる画像データの選択が不要なので、区分速度の低下を抑制することができる。
【実施例】
【００９３】
以下、本発明の具体的な実施例について説明する。【００９４】
本実施例は、本発明の一実施形態の画像処理装置１０を備えた区分機２０の例である。【００９５】
図１０は、本実施例の区分機２０の構成を示す図である。【００９６】
なお、図１０において、実線は、データや制御信号の流れを示し、点線は、発送物の流れを示す。【００９７】
図１０に示す区分機２０は、供給部２１と、搬送部２２と、スキャナ部２３と、画像処理部２４と、区分部２５と、制御部２６と、を備える。【００９８】
なお、本発明の一実施形態の画像処理装置１０は、画像処理部２４に適用される。【００９９】
供給部２１は、発送物を１通ずつ搬送部２２に供給する。【０１００】
搬送部２２は、供給部２１から供給された発送物を区分部２５に搬送する。【０１０１】
スキャナ部２３は、発送物の画像を撮像する光電変換機構であり、搬送部２２により搬送される発送物をスキャンする。【０１０２】
画像処理部２４は、スキャンされた発送物の画像データから宛先を読み取り、読み取った宛先を区分部２５に出力する。【０１０３】
区分部２５は、画像処理部２４から出力された宛先に基づき、発送物を区分する。【０１０４】
制御部２６は、上述した各部の制御を行う。【０１０５】
次に、本実施例の区分機２０の動作について説明する。【０１０６】
画像処理部２４は、供給部２１から供給された発送物の画像データから、設定された処理モードに応じて、宛先領域を抽出し、宛先の読み取りを行う。【０１０７】
区分部２５は、画像処理部２４により読み取られた宛先に基づき、発送物を区分する。【０１０８】
本発明の画像処理装置１０および区分機２０にて行われる方法は、コンピュータに実行させるためのプログラムに適用してもよい。また、そのプログラムを記憶媒体に格納することも可能であり、ネットワークを介して外部に提供することも可能である。【０１０９】
以上、実施形態および実施例を参照して本発明を説明したが、本発明は上記実施形態および実施例に限定されるものではない。本発明の構成や詳細には、本発明の範囲内で当業者が理解し得る様々な変更をすることができる。【０１１０】
この出願は、２００９年９月１７日に出願された日本出願特願２００９−２１５６２６を基礎とする優先権を主張し、その開示の全てをここに取り込む。
【図１】
2011033857.tif 000003
【図２】
2011033857.tif 000004
【図３】
2011033857.tif 000005
【図４】
2011033857.tif 000006
【図５】
2011033857.tif 000007
【図６】
2011033857.tif 000008
【図７】
2011033857.tif 000009
【図８】
2011033857.tif 000010
【図９】
2011033857.tif 000011
【図１０】
2011033857.tif 000012
【国際調査報告】
2011033857.tif 000013
2011033857.tif 000014
2011033857.tif 000015